(57)【要約】【課題】外壁面材の交換を施工容易に行うことができる外壁面材の脱着式取付け構造を提供する。【解決手段】外壁面材３の側縁部が第１取付け金物８でパネルフレーム５に取り付けられており、該第１取付け金物８は、屋外側から外壁目地６を通じて操作可能であり、該操作により外壁面材３をパネルフレーム５に対して脱着できるようになされている。そして、第１取付け金物８により取り付けられている部分に対する外壁面材３の脱着を、外壁面材３を上下させることなく行えるようになされている。【選択図】      図７
2006233668.tif 000002
【特許請求の範囲】
【請求項１】
外壁面材の側縁部と、該側縁部の背面側に備えられたフレーム等の面材取付け用下地との間に第１の取付け金物が備えられ、該第１取付け金物で外壁面材の側縁部が面材取付け用下地に取り付けられており、
該第１取付け金物は、屋外側から外壁目地を通じて操作可能であり、該操作により外壁面材を面材取付け用下地に対して脱着できるようになされていることを特徴とする、外壁面材の脱着式取付け構造。
【請求項２】
前記第１取付け金物により取り付けられている部分に対する外壁面材の脱着を、外壁面材を上下させることなく行えるようになされている請求項１に記載の、外壁面材の脱着式取付け構造。
【請求項３】
面材取付け用下地と外壁面材のいずれか一方に前記第１取付け金物が取り付けられ、
第１取付け金物は、固定金物部品と可動金物部品とで構成され、固定金物部品が、面材取付け用下地と外壁面材のうちの前記一方に固定状態に取り付けられ、
可動金物部品は、係合部と操作部とを備え、操作部に対する操作によって動作させることにより、係合部を面材取付け用下地と外壁面材のうちのもう一方に対して係合保持状態にしたり係合保持解除状態することができるようになされており、
該可動金物部品の操作部に対する操作を、屋外側から外壁目地を通じて行うことができるようになされている請求項２に記載の、外壁面材の脱着式取付け構造。
【請求項４】
前記可動金物部品が、固定金物部品に対し、外壁面材と直交する軸線回りで回動可能に枢着されて可動であり、
操作部は円弧の外周部分を備え、係合部係合保持状態と係合部係合保持解除状態との間の回動操作範囲において円弧外周部分が外壁面材の側縁部から目地側に突出している請求項３に記載の、外壁面材の脱着式取付け構造。
【請求項５】
前記操作部の円弧外周部分が係合部係合保持状態において外壁面材の側縁部から目地側に突出することなく外壁面材の背面側に控えている請求項４に記載の、外壁面材の脱着式取付け構造。
【請求項６】
面材取付け用下地と外壁面材のうちの前記もう一方に対する係合部による係合保持状態において、外壁面材と面材取付け用下地とが面外方向において相対変位を規制され、面内方向において相対的な滑りを許容されるようになされている請求項３乃至５のいずれか一に記載の、外壁面材の脱着式取付け構造。
【請求項７】
外壁面材の下端部と、該下端部の背面側に備えられた面材取付け用下地との間に第２の取付け金物が備えられ、該第２取付け金物で外壁面材の下端部が面材取付け用下地に取り付けられており、
該第２取付け金物は、外壁面材をその上端部が屋外側となるように傾けた状態で上下させることにより、外壁面材を面材取付け用下地に対して脱着できるようになされている請求項２乃至６のいずれか一に記載の、外壁面材の脱着式取付け構造。
【請求項８】
前記第１取付け金物は面材取付け用下地の側に取り付けられ、該第１取付け金物に外壁面材が係合保持されており、
外壁面材と面材取付け用下地との間に断熱層を形成する断熱材が設けられ、
第１取付け金物は、その本体部が断熱材と外壁面材との間に備えられると共に、断熱材を貫いて面材取付け用下地に当接し断熱材の設置スペースを一定に保つスペーサー部を一体的に備え、面材取付け用下地への接近をスペーサー部で規制するようにして、面材取付け用下地にビス等のネジで緊結して取り付けられている請求項１乃至７のいずれか一に記載の、外壁面材の脱着式取付け構造。
【発明の詳細な説明】
【技術分野】
【０００１】
本発明は、外壁面材の脱着式取付け構造に関する。
【背景技術】
【０００２】
例えば外壁パネルを用いた外壁構造において、窯業系等の外壁面材を、面材取付け下地であるパネルフレームに取り付ける構造として、外壁面材の屋外側の面部に座掘りがなされ、そこにビスが打たれて外壁面材が面材背面側のパネルフレームに固定され、座掘り部分はパテで埋められ、最後に塗装（タッチアップ）による仕上げがなされたものは、従来より提供されている。
【発明の開示】
【発明が解決しようとする課題】
【０００３】
しかしながら、上記のような取付け構造では、外壁面材の経年変化や外壁のデザイン変更等のために外壁面材の交換を行うような場合、古い外壁パネルを取り外したのち、現場において、新たな外壁面材をパネルフレームにビスで固定するのみならず、座掘部分をパテで埋め、更にタッチアップをするという施工を行わなければならず、施工が非常に厄介であるという問題があった。
【０００４】
本発明は、上記のような問題点に鑑み、外壁面材の交換を施工容易に行うことができる外壁面材の脱着式取付け構造を提供することを課題とする。
【課題を解決するための手段】
【０００５】
上記の課題は、外壁面材の側縁部と、該側縁部の背面側に備えられたフレーム等の面材取付け用下地との間に第１の取付け金物が備えられ、該第１取付け金物で外壁面材の側縁部が面材取付け用下地に取り付けられており、
該第１取付け金物は、屋外側から外壁目地を通じて操作可能であり、該操作により外壁面材を面材取付け用下地に対して脱着できるようになされていることを特徴とする、外壁面材の脱着式取付け構造（第１発明）によって解決される。
【０００６】
この取付け構造では、外壁面材の経年変化や外壁のデザイン変更等のために外壁面材の交換を行う場合、古い外壁面材は、外壁目地を通じて第１取付け金物を操作することにより面材取付け用下地から取り外すことができ、新たな外壁面材は、外壁目地を通じて第１取付け金物を操作することにより面材取付け用下地に取り付けることができ、従来のような座掘部分に対するパテの取外しと埋込み、タッチアップ等が不要になり、外壁面材の交換を施工容易に行うことができる。
【０００７】
上記の取付け構造において、第１取付け金物により取り付けられている部分に対する外壁面材の脱着を、外壁面材を上下させることなく行えるようになされているとよい（第２発明）。
【０００８】
この構造では、外壁面材を垂直状態に保ったまま上下させて引っ掛ける式の脱着式取付け構造とは異なり、外壁面材の上方に軒天等の障害物が存在するような場合であっても、外壁面材の脱着を、そのような障害物に妨げられることなく行うことができ、適用範囲を広くすることができる。
【０００９】
第１取付け金物により取り付けられている部分に対する外壁面材の脱着を、外壁面材を上下させることなく外壁目地を通じて行えるようにする具体的構造としては、面材取付け用下地と外壁面材のいずれか一方に前記第１取付け金物が取り付けられ、
第１取付け金物は、固定金物部品と可動金物部品とで構成され、固定金物部品が、面材取付け用下地と外壁面材のうちの前記一方に固定状態に取り付けられ、
可動金物部品は、係合部と操作部とを備え、操作部に対する操作によって動作させることにより、係合部を面材取付け用下地と外壁面材のうちのもう一方に対して係合保持状態にしたり係合保持解除状態することができるようになされており、
該可動金物部品の操作部に対する操作を、屋外側から外壁目地を通じて行うことができるようになされているもの（第３発明）などを好適に採用することができる。
【００１０】
特に、可動金物部品が、固定金物部品に対し、外壁面材と直交する軸線回りで回動可能に枢着されて可動であり、
操作部は円弧の外周部分を備え、係合部係合保持状態と係合部係合保持解除状態との間の回動操作範囲において円弧外周部分が外壁面材の側縁部から目地側に突出しているとよい（第４発明）。
【００１１】
この構造では、外壁面材の脱着の作業において、係合保持状態と係合保持解除状態との間の回動操作範囲において、円弧外周部分が外壁面材の側縁部から外方に突出した状態になるので、外壁目地を通じた操作部に対する脱着操作を施工容易に行うことができる。
【００１２】
また、この構造において、前記操作部の円弧外周部分が係合部係合保持状態において外壁面材の側縁部から目地側に突出することなく外壁面材の背面側に控えているのもよい（第５発明）。
【００１３】
この場合は、係合保持状態において、例えば外壁目地に止水用あるいは目地隠し用の目地材を設置するような場合に操作部が目地材設置の妨げになるおそれをなくすことができるし、また、目地を挟むもう一方の外壁面材の脱着作業を行うに際して操作部がその作業の妨げになるおそれをなくすことができる。
【００１４】
また、上記の構造において、面材取付け用下地と外壁面材のうちの前記もう一方に対する係合部による係合保持状態において、外壁面材と面材取付け用下地とが面外方向において相対変位を規制され、面内方向において相対的な滑りを許容されるようになされているのもよい（第６発明）。
【００１５】
この場合は、建物に地震等による水平力等が加わった場合でも、外壁面材に応力が発生しにくく、外壁面材のひびや割れの発生を防ぐことができる。
【００１６】
また、上記の構造において、外壁面材の下端部と、該下端部の背面側に備えられた面材取付け用下地との間に第２の取付け金物が備えられ、該第２取付け金物で外壁面材の下端部が面材取付け用下地に取り付けられており、
該第２取付け金物は、外壁面材をその上端部が屋外側となるように傾けた状態で上下させることにより、外壁面材を面材取付け用下地に対して脱着できるようになされているのもよい（第７発明）。
【００１７】
この場合は、外壁面材の上方に軒天等の障害物が存在していても、外壁面材をその上端部が屋外側となるように傾けた状態で上下させて脱着できるようになされているので、外壁面材が障害物と干渉せず、第１取付け金物の使用による適用範囲の拡大を妨げることがなく、第１取付け金物との組み合わせで外壁面材の脱着を容易に行うことができる。特に第６発明における第１取付け金物による脱着式取付け構造との組み合わせによって、外壁面材の支承状態をしっかりとしたものにすることができる。
【００１８】
また、上記の取付け構造において、第１取付け金物は面材取付け用下地の側に取り付けられ、該第１取付け金物に外壁面材が係合保持されており、
外壁面材と面材取付け用下地との間に断熱層を形成する断熱材が設けられ、
第１取付け金物は、その本体部が断熱材と外壁面材との間に備えられると共に、断熱材を貫いて面材取付け用下地に当接し断熱材の設置スペースを一定に保つスペーサー部を一体的に備え、面材取付け用下地への接近をスペーサー部で規制するようにして、面材取付け用下地にビス等のネジで緊結して取り付けられているのもよい（第８発明）。
【００１９】
即ち、外壁面材と面材取付け用下地との間に断熱層を形成する断熱材が設けられ、第１取付け金物の本体部が断熱材と外壁面材との間に備えられ、第１取付け金物が面材取付け用下地に対してビス等のネジで緊結して取り付けられる構造では、ネジの緊結によって、断熱層を形成する断熱材が発泡系であるか繊維系であるかを問わず圧縮変形されてしまうことがあるが、それをスペーサー部が阻止することで、第１取付け金物を面材取付け用下地に対してしっかりと取り付けることができる。しかも、スペーサー部は、第１取付け金物に一体的に備えられているので、スペーサーの設置が容易であると共に、ネジとスペーサーとの位置関係の設定も容易なものにすることができる。
【発明の効果】
【００２０】
本発明は、以上のとおりのものであるから、外壁面材の交換を施工容易に行うことができる。
【発明を実施するための最良の形態】
【００２１】
次に、本発明の実施最良形態を図面に基づいて説明する。
【００２２】
図１〜図９に示す第１実施形態は、外壁パネルを用いたパネル式の外壁構造における外壁面材の脱着式取付け構造についてのもので、図６において、１は外壁パネル、２は建物の柱であり、外壁パネル１は、外壁面材３と、その背面側に備えられた断熱材４と、更にその背面側に備えられた面材取付け用下地としてのパネルフレーム５とを備え、左右の外壁パネル１，１が、それらのパネルフレーム５，５で柱２を両側から挟むように設置されることで外壁を構成し、左右の外壁パネル１，１の外壁面材３，３間には上下方向に延びる外壁目地６が備えられている。
【００２３】
各外壁パネル１において、外壁面材３は、次のようにしてパネルフレーム５に取り付けられている。
【００２４】
即ち、外壁面材３の左右の側縁部の背面側には、図７（ロ）及び図８に示すように、鋼等の金属製のリップ付き溝形材からなるレール状係合部材７が、リップ間開口部を屋内側に向け、上下方向に延びるようにして一体的に備えられている。
【００２５】
また、パネルフレーム５は、図９に示すように、左右の縦枠５ａ，５ａを備えており、パネルフレーム５の屋外側には断熱材４が重ねられ、該断熱材４を介して、左右の縦枠５ａ，５ａの上端部及び高さ方向中間部に第１取付け金物８…が取り付けられ、左右の縦枠５ａ，５ａの下端部に第２取付け金物９，９が取り付けられている。
【００２６】
第１取付け金物８は、図１〜図４に示すように、固定金物部品１０と可動金物部品１１とで構成されている。
【００２７】
固定金物部品１０は、外壁面材３側のレール状係合部材７の一方のリップ７ａの外面部に配置される上下の挟込み用ベース板部１０ａ，１０ａと、これらベース板部１０ａ，１０ａを連接する中間連接板部１０ｂとを一体に備えたものからなる。
【００２８】
また、可動金物部品１１は、係合部としての帯板状挟込み部１１ａと、操作部としての操作板部１１ｂとを一体に備えたものからなっていて、帯板状挟込み部１１ａの長手方向の中間部が、固定金物部品１０の中間連接板部１０ｂの屋外側の面部に対し、外壁面材３と直交する軸線回りで回動できるように枢着１２されている。
【００２９】
第１取付け金物８は、次のようにしてパネルフレーム５に取り付けられている。即ち、第１取付け金物８は、固定金物部品１０と可動金物部品１１とを、断熱材４の屋外側の面部に配置される本体部としており、固定金物部品１０の各ベース板部１０ａ，１０ａには、固定金物部品１０をパネルフレーム５の縦枠５ａに取り付ける取付け孔１３，１３が設けられ、各ベース板部１０ａ，１０ａの背面側に、外壁面材３とパネルフレーム５との間の断熱材設置スペースを一定に保つ筒状のスペーサー部１４，１４が取付け孔１３，１３と同心状態となるように一体的に備えられている。該第１取付け金物８は、筒状スペーサー部１４を断熱材４に通して本体部とパネルフレーム５とで断熱材４を挟んだ状態にし、取付け孔１３，１３を通じて筒状スペーサー部１４，１４に通されたネジとしてのビス１５をパネルフレーム５の縦枠５ａに螺合させて締め付けることにより、パネルフレーム５に取り付けられている。
【００３０】
このように、第１取付け金物８の本体部構成部品である固定金物部品１０に筒状スペーサー部１４，１４を備えさせることで、ビス１５の締付けを行っても、断熱材４が圧縮変形してしまうことがなく、第１取付け金物８をパネルフレーム５にぐらつきやゆるみのないしっかりとした取付け固定状態にすることができるのはもとより、第１取付け金物８にスペーサー部１４，１４が一体的に備えられていることによって、スペーサーの設置を容易にすることができると共に、ネジとスペーサーとの位置関係の設定も容易なものにすることができる。なお、スペーサー部は筒状でなくてもよいし、ビス等のネジは、スペーサー部に通されることなくスペーサー部と隣接するようにして備えられていてもよい。
【００３１】
外壁面材３は、こうしてパネルフレーム５の側に取り付けられた第１取付け金物８に次のような態様で係合保持されることによって取り付けられている。
【００３２】
即ち、上記の可動金物部品１１において、帯板状挟込み部１１ａは、その幅寸法がレール状係合部材７のリップ７ａ，７ａ間の間隔寸法よりも小さく設計されていると共に、長さ寸法がリップ７ａ，７ａ間の間隔寸法よりも大きく設計されていて、図３（ロ）に示すように、可動金物部品１１を回動して帯板状挟込み部１１ａを縦向きにすることにより、外壁面材３側のレール状係合部材７のリップ間開口部を通じて溝内に配置することができ、その状態から可動金物部品１１を回動して、図３（イ）に示すように帯板状挟込み部１１ａを横向きにすることにより、その両端部が両リップ７ａ，７ａの内面側に突出するようになされている。こうして帯板状挟込み部１１ａの両端部が両リップ７ａ，７ａの内面側に突出し、レール状係合部材７のリップ７ａが、帯板状挟込み部１１ａと固定金物部品１０の挟込み用ベース板部１０ａ，１０ａとで内外方向から挟み込まれた状態になることで、外壁面材３は第１取付け金物８に係合保持される。
【００３３】
本実施形態では、この係合保持状態において、外壁面材３が、可動金物部品１１の帯板状挟込み部１１ａと固定金物部品１０の挟込み用ベース板部１０ａ，１０ａとの挟込みによって、面外方向の相対変位を規制され、面内方向における上下方向の相対的な滑りを許容されるようになされて、建物に地震等による水平力が加わった場合でも、外壁面材に応力が発生しにくく、外壁面材のひびや割れの発生が防がれる。
【００３４】
なお、帯板状挟込み部１１ａの両端部には隆起部１６，１６が設けられ、各隆起部１６，１６がリップ７ａ，７ａの内面部に押圧状態に当接して、外壁面材３の面外方向における相対変位をしっかりと規制することができるようになされている。
【００３５】
そして、上記の係合保持状態から、可動金物部品１１を逆方向に回動し、帯板状挟込み部１１ａを図３（ロ）に示すように縦向きにし、帯板状挟込み部１１ａをレール状係合部材７のリップ間開口部を通じて外に出すことができる状態にすることで、第１取付け金物８による外壁面材３の係合保持状態が解除されるようになされて、第１取付け金物８により取り付けられている部分に対する外壁面材３の脱着を、外壁面材３を上下させることなく行えるようになされている。
【００３６】
可動金物部品１１において、操作板部１１ｂは、帯板状挟込み部１１ａを上記のような態様で外壁目地６を通じて回動操作するのに用いられる部分であり、１／４円板状の形態をしていることによって円弧の外周部分１７を備えており、円弧方向の一端側１８が直線状に切り欠かれて、図４（イ）に示すように、帯板状挟込み部１１ａの両端がレール状係合部材７のリップ７ａ，７ａの内面側に突出した係合部係合保持状態において、外壁面材３の側縁部から外方に突出せずに外壁面材３の背面側に控え、図４（ロ）（ハ）に示すように、該係合部係合状態と係合解除状態との間の回動操作範囲、及び、係合解除状態において、円弧外周部分１７が外壁面材３の側縁部から外方、即ち縦目地６内に突出した状態になるようにされている。
【００３７】
そして、本実施形態では、操作板部１１ｂを外壁目地６を通じて工具で容易に回動操作することができるように、操作板部１１ｂの円弧外周部分１７の円弧方向の一方の側に半径線方向外方に開く工具係合部としての凹所１９が設けられると共に、円弧方向のもう一方の側に同じく工具係合部としての孔２０が設けられ、図４（イ）に示す係合保持状態において、外壁面材３の側縁部から外方に突出せずに控えている操作板部１１ｂの円弧外周部分１７の工具係合用凹所１９に、外壁目地６を通じて、図示しない工具を引っ掛けた状態にすることで、該操作板部１１ｂを、図４（ロ）に示すように、係合解除方向に容易に回動させていくことができるようになされている。また、この回動過程において、工具係合用凹所１９が外壁面材３の背面側に隠れると工具係合用孔２０が外壁目地６内にあらわれるようになされていて、工具を該孔２０に差し込み、該工具で操作板部１１ｂを更に回動させ、図４（ハ）に示す係合解除状態にすることができるようになされている。
【００３８】
また、図４（ハ）に示す係合保持解除状態において、外壁目地６の範囲内に存在する工具係合用孔２０に工具を差し込み、該工具で図４（ロ）に示すように、操作板部１１ｂを係合方向に容易に回動させていくことができるようになされており、この回動過程において、工具係合用孔２０が外壁面材３の背面側に隠れると、工具係合用凹所１９が外壁目地６内にあらわれるようになされて、工具を該凹所１９に引っ掛け、該工具で操作板部１１ｂを更に回動させ、図４（イ）に示す係合状態に戻すことができるようになされている。
【００３９】
更に、本実施形態では、円弧の外周部分１７が粗面に形成されていて、該外周部分１７に工具等を引っ掛けることによっても操作板部１１ｂを正逆いずれの方向にでも回動させていくことができるようになされている。
【００４０】
第２取付け金物９は、図５に示すように、垂直なベース板部２１の下縁部に斜め上方向に屈曲された引掛け部２２を備えたものからなっていて、外壁面材３を、その上端側が屋外側となるように傾けて上下させることにより、引掛け部２２を、外壁面材３の背面側に備えられたレール状係合部材７の下端からその内部に突出させ、該引掛け部２２によって、レール状係合部材７を下端側から支承すると共に、外壁面材３が屋外側に変位するのを規制した係合保持状態を形成するようになされている。なお、ベース板部２１には、第２取付け金物９をパネルフレーム５に取り付ける取付け孔１３，１３が設けられると共に、ベース板部２１の背面側には、取付け孔１３，１３と同心状態に、第１取付け金物８と同様の筒状スペーサー部１４，１４が一体的に備えられている。
【００４１】
上記の構造では、外壁面材３の経年変化や外壁のデザイン変更等のために外壁面材３の交換を行う場合、古い外壁面材は、外壁目地６を通じて第１取付け金物８を操作することによりパネルフレーム５から取り外すことができ、新たな外壁面材は、外壁目地６を通じて第１取付け金物８を操作することによりパネルフレームに取り付けることができて、従来のような座掘部分に対するパテの取外しと埋込み、タッチアップ等が不要になり、外壁面材３の交換を施工容易に行うことができる。
【００４２】
しかも、第１取付け金物８…により取り付けられている部分に対する外壁面材３の脱着は、第１取付け金物８の可動金物部品１１の操作板部１１ｂを外壁目地６を通じて回動操作することで行うことができて、外壁面材３を上下させる必要がなく、外壁面材３の上方に軒天等の障害物が存在するような場合であっても、外壁面材の脱着を、そのような障害物に妨げられることなく行うことができて、適用範囲を広くすることができる。
【００４３】
また、外壁面材３の脱着の作業においては、係合保持状態と係合保持解除状態との間の回動操作範囲において、操作板部１１ｂの円弧外周部分１７が外壁面材３の側縁部から外方に突出した状態になるので、外壁目地を通じた操作部に対する脱着操作を施工容易に行うことができ、更に、操作板部１１ｂは、直線状の切欠き１８によって、係合部係合保持状態、即ち外壁面材取付け状態において、外壁面材３の側縁部から目地側に突出することなく外壁面材３の背面側に控えるようになされているので、外壁目地６に止水用あるいは目地隠し用の目地材を設置する場合に操作板部１１ｂが目地材設置の妨げになるおそれがないし、目地６を挟むもう一方の外壁面材の脱着作業を行うに際して操作板部１１ｂがその作業の妨げになるおそれもない。
【００４４】
また、外壁面材３の下端部については、外壁面材３を上下させることで脱着させることができる構造になっているが、その脱着は、外壁面材３をその上端部が屋外側となるように傾けた状態で行うことができるようになされているので、外壁面材３の上方に軒天等の障害物が存在していても、外壁面材３が障害物と干渉するのが回避され、第１取付け金物８…の使用による適用範囲の拡大を妨げず、第１取付け金物８…との組み合わせで外壁面材３の脱着を容易にすることができ、しかも、上下方向に滑り可能な第１取付け金物８部分との関係で、外壁面材３の取付け状態を上下方向に位置ずれを生じないしっかりとしたものにすることができる。
【００４５】
図１０及び図１１に示す第２実施形態の脱着式取付け構造は、外壁面材３の左右の側縁部をパネルフレーム５に取り付ける第１取付け金物８が外壁面材３の背面側に取り付けられていると共に、パネルフレーム５の側には、第１取付け金物８を係合させる係合部材としての係合片３１が取り付けられている。
【００４６】
係合片３１は、ピース状の部材からなっていて、パネルフレーム５から屋外側に突出するように備えられており、その先端部に、外壁目地６の側とは反対の側に開口する切欠き３２が備えられている。
【００４７】
第１取付け金物８は、固定金物部品１０と可動金物部品１１とを備えており、固定金物部品１０はアングル材からなり、その一方の板部１０ｃが外壁面材３の側縁部の背面側に沿わされて背面側からビス等で固定状態に取り付けられ、もう一方の板部１０ｄが外壁面材３の側面部付近の位置において板面を外壁目地６の側に向けるようにして後方に立ち上げられている。
【００４８】
また、可動金物部品１１は、係合部１１ｃと操作部１１ｄとを一体的に備え、係合部１１ｃは、一方の板部３３の面内にナット３４を付けることでネジ孔を備えさせたアングル片からなり、操作部１１ｄは、アングル片１１ｃのナット３４に螺合させた頭付きボルトからなって、該頭付きボルト１１ｄは、固定金物部品１０における後方立ち上がり板部１０ｄに通され、ボルト頭部３５は外壁面材３の側面部よりも外方に突出して、外壁目地６を通じてボルト頭部３５を回転操作することができるようになされている。また、アングル片１１ｃは、外壁面材３の背面部等をガイドにし、もう一方の板部である係合用爪板部３６が外壁面材３に対して平行状態を保つようにされていて、屋外側から外壁目地６を通じてボルト頭部３５を回転操作することにより、アングル片１１ｃの係合用爪板部３６が左右方向に移動し、図１１（ロ）に示すように、係合用爪板部３６がパネルフレーム５側の係合片３１の切欠き３２内に差し込まれた係合保持状態と、図１１（イ）に示すように、係合用爪板部３６が切欠き３２から抜出された係合保持解除状態とを形成することができ、外壁面材３を第１取付け金物８の部分において、外壁面材３を上下させることなく脱着させることができるようになされている。なお、３７はストッパーであり、頭付きボルト１１ｄが固定金物部品１０の後方立ち上がり板部１０ｄに対してボルト軸方向に進退動作をするのを規制するものである。
【００４９】
この構造においても、外壁面材３の経年変化や外壁のデザイン変更等のために外壁面材３の交換を行う場合に、従来のような座掘部分に対するパテの取外しと埋込み、タッチアップ等が不要であり、外壁面材３の交換を施工容易に行うことができるし、第１取付け金物８…により取り付けられている部分に対する外壁面材３の脱着は、外壁目地６を通じてボルト頭部３５を回転操作することで行うことができて、外壁面材３を上下させる必要がなく、外壁面材３の上方に軒天等の障害物が存在するような場合であっても、外壁面材の脱着を、そのような障害物に妨げられることなく行うことができて、適用範囲を広めることができる。
【００５０】
しかも、本実施形態の構造によれば、ボルト１１ｄの締込みによって外壁面材３をパネルフレーム５に係合保持させて取り付ける構造であるから、しっかりとした取付け状態を形成することができる。
【００５１】
以上に、本発明の実施形態を示したが、本発明はこれに限られるものではなく、発明思想を逸脱しない範囲で各種の変更が可能である。例えば、上記の第１実施形態では、外壁面材３の下端部を第２取付け金物９で取り付ける場合を示しているが、第２取付け金物９を省略し、外壁面材３を各種形態の第１取付け金物のみで取り付ける構造にしてもよい。即ち、「第１取付け金物」における「第１」の語は、第２取付け金物の存在を前提として使われているものではない。
【００５２】
また、外壁面材３の面内方向における滑りは許容されるようになされていてもよいし、規制されるようになされていてもよい。
【００５３】
また、上記の実施形態では、第１取付け金物８について、２つの具体的形態を示しているが、それらに限られるものではなく、回動式、回転式のほか、可動金物部品をリニアに動かすことで外壁面材３を脱着させる構造形態などに構成されていてもよい。また、第１取付け金物が備えられる部位をあらわす外壁面材の側縁部は、外壁面材の左右の側縁部であってもよいし上下の側縁部であってもよい。
【００５４】
また、上記の実施形態では、外壁面材と面材取付け用下地のいずれか一方に取り付けられた第１取付け金物等を、外壁面材と面材取付け用下地のもう一方に係合させるための係合部分を該もう一方に係合部材を取り付けることによって形成した場合を示しているが、該もう一方に対して係合部分を形成し、係合部材は省略するようにしてもよい。
【００５５】
更に、上記の第１実施形態では、外壁面材３とパネルフレーム５との間に断熱材４が備えられた外壁構造に適用して、第１取付け金物８にスペーサー部１４を備えさせた場合を示しているが、外壁面材３とパネルフレーム５との間から断熱材４が省略された外壁構造に適用することもでき、その場合には、スペーサー部１４は省略されてよい。
【００５６】
また、上記の実施形態では、パネルフレーム付き外壁パネルを用いた外壁構造における外壁面材の脱着式取付け構造を示しているが、外壁パネル式以外の外壁構造における外壁面材の脱着式取付け構造として用いられてもよい。即ち、面材取付け用の下地はパネルフレームに限らない。
【図面の簡単な説明】
【００５７】
【図１】第１実施形態を示すもので、第１取付け金物と外壁面材とを分離状態にした斜視図である。
【図２】図（イ）は第１取付け金物の斜視図、図（ロ）は固定金物部品と可動金物部品とを分離状態にした斜視図である。
【図３】第１取付け金物と外壁面材との係合関係を示すもので、図（イ）は係合保持状態の背面図、図（ロ）は係合保持解除状態の背面図である。
【図４】第１取付け金物における可動金物部品の操作状態を示すもので、図（イ）は係合保持状態における正面図、図（ロ）は係合保持状態と係合保持解除状態の中間範囲における操作状態の正面図、図（ハ）は係合保持解除状態における正面図である。
【図５】第２取付け金物と外壁面材とを分離状態にした斜視図である。
【図６】図（イ）は外壁目地部分の平面断面図、図（ロ）は外壁パネルの平面断面図である。
【図７】図（イ）は第１取付け金物と断熱材とパネルフレームを分離状態にした断面平面図、図（ロ）は外壁面材と第１取付け金物を分離状態にした断面平面図である。
【図８】外壁面材を示すもので、図（イ）は正面図、図（ロ）は背面図である。
【図９】断熱材を組み合わせたパネルフレームを示すもので、図（イ）は正面図、図（ロ）は背面図である。
【図１０】第２実施形態を示すもので、図（イ）は断面斜視図、図（ロ）は断面平面図である。
【図１１】図（イ）及び図（ロ）は脱着方法を示す断面平面図である。
【符号の説明】
【００５８】
３…外壁面材
４…断熱材
５…パネルフレーム（面材取付け用下地）
６…外壁目地
８…第１取付け金物
９…第２取付け金物
１０…固定金物部品
１１…可動金物部品
１１ａ…帯板状挟込み部（係合部）
１１ｂ…操作板部（操作部）
１２…枢着部
１４…スペーサー部
１５…ビス（ネジ）
１７…円弧外周部分
【図１】
2006233668.tif 000003
【図２】
2006233668.tif 000004
【図３】
2006233668.tif 000005
【図４】
2006233668.tif 000006
【図５】
2006233668.tif 000007
【図６】
2006233668.tif 000008
【図７】
2006233668.tif 000009
【図８】
2006233668.tif 000010
【図９】
2006233668.tif 000011
【図１０】
2006233668.tif 000012
【図１１】
2006233668.tif 000013